【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
遊技用価値を用いて１ゲームに対して所定数の賭数を設定することによりゲームを開始させることが可能となり、複数種類の識別情報を変動表示させる可変表示装置に表示結果が導出されることにより１ゲームが終了し、該可変表示装置に導出された表示結果に応じて入賞が発生可能であるスロットマシンであって、
予め定められた初期条件が成立したときに、初期遊技状態に遊技状態を制御する初期遊技状態制御手段と、
ゲーム毎に前記可変表示装置の表示結果が導出されるより前に、入賞表示結果の導出を許容するか否かを決定し、該決定の結果に応じた決定結果情報を設定する手段であって、
前記初期遊技状態よりも遊技者にとって有利な有利状態への移行を伴う複数種類の有利表示結果の何れかの導出を許容する旨を決定するときに、前記可変表示装置の表示結果として導出される識別情報の種類が何れの有利表示結果とも異なるとともに前記有利状態への移行がないこと以外には該有利表示結果と同じ価値が付与される非有利表示結果の導出を許容する旨を同時に決定し、前記複数種類の有利表示結果の何れかの導出を許容する旨の決定に従って複数種類の有利決定結果情報のうちの何れかを設定するとともに前記非有利表示結果の導出を許容する旨の決定に従って非有利決定結果情報を設定する有利決定手段と、
前記有利状態よりも遊技者にとって不利な不利状態への移行を伴う複数種類の不利表示結果の何れかの導出を許容する旨を決定するときに、前記可変表示装置の表示結果として導出される識別情報の種類が何れの不利表示結果とも異なるとともに前記不利状態への移行がないこと以外には該不利表示結果と同じ価値が付与される非不利表示結果の導出を許容する旨を同時に決定し、前記複数種類の不利表示結果の何れかの導出を許容する旨の決定に従って複数種類の不利決定結果情報のうちの何れかを設定するとともに前記非不利表示結果の導出を許容する旨の決定に従って非不利決定結果情報を設定する不利決定手段と、
を含む事前決定手段と、
前記識別情報の変動表示を停止させるために遊技者により操作される停止操作手段と、
前記事前決定手段により設定された決定結果情報と前記停止操作手段の操作手順とに応じて前記可変表示装置に表示結果を導出させる手段であって、
前記複数種類の有利決定結果情報の何れかと前記非有利決定結果情報とが設定されているときに、前記有利決定結果情報の種類に応じて異なるように定められた複数種類の操作手順のうちの該設定された有利決定結果情報に応じて定められた操作手順で前記停止操作手段が操作されたときには対応する種類の有利表示結果を導出させ、該設定された有利決定結果情報の種類に応じた操作手順で前記停止操作手段が操作されなかったときには前記停止操作手段の操作手順に関わらずに前記非有利表示結果を導出させる有利導出制御手段と、
前記複数種類の不利決定結果情報の何れかと前記非不利決定結果情報とが設定されているときに、前記不利決定結果情報の種類に応じて異なるように定められた複数種類の操作手順のうちの該設定された不利決定結果情報に応じて定められた操作手順で前記停止操作手段が操作されたときには対応する種類の不利表示結果を導出させ、該設定された不利決定結果情報の種類に応じた操作手順で前記停止操作手段が操作されなかったときには前記停止操作手段の操作手順に関わらずに前記非不利表示結果を導出させる不利導出制御手段と、
を含む導出制御手段と、
前記初期遊技状態において前記可変表示装置の表示結果として前記有利表示結果が導出されたときに、前記有利状態に遊技状態を制御する有利状態制御手段と、
前記初期遊技状態において前記可変表示装置の表示結果として前記不利表示結果が導出されたときに、前記不利状態に遊技状態を制御する不利状態制御手段と、
前記初期遊技状態において所定の条件が成立しているときにおいて前記事前決定手段により前記有利決定結果情報が設定されたときに、該設定された有利決定結果情報の種類に応じた有利表示結果を導出させるための操作手順を特定可能な情報を遊技者に報知するとともに、前記初期遊技状態において所定の条件が成立していないときにおいて前記事前決定手段により前記有利決定結果情報が設定されたときに、該有利決定結果情報が設定されていることは特定可能であるが何れの種類の有利決定結果情報であるかまでは特定不能な情報を遊技者に報知する有利手順報知手段と、
前記初期遊技状態において前記所定の条件が成立しているときにおいて前記事前決定手段により前記不利決定結果情報が設定されたときに、前記有利手順報知手段による情報の報知態様とは異なる報知態様で、該設定された不利決定結果情報の種類に応じた不利表示結果の導出を回避するための操作手順を特定可能な情報を遊技者に報知するとともに、前記初期遊技状態において所定の条件が成立していないときにおいて前記事前決定手段により前記不利決定結果情報が設定されたときに、該不利決定結果情報が設定されていることは特定可能であるが何れの種類の不利決定結果情報であるかまでは特定不能な情報を遊技者に報知する不利手順報知手段と
を備えることを特徴とするスロットマシン。
【請求項２】
前記初期遊技状態制御手段は、前記有利状態の終了を前記初期条件の成立として、該有利状態が終了した後に前記初期遊技状態に遊技状態を制御し、
前記スロットマシンは、
前記有利状態に制御されているときにおいて、前記事前決定手段により前記入賞表示結果の導出を許容する旨が決定されていないときには該入賞表示結果の導出を許容する旨が決定されているときよりも高い確率で、前記有利状態が終了した後の初期遊技状態において前記所定の条件を成立させるか否かを決定する有利後報知決定手段をさらに備える
ことを特徴とする請求項１に記載のスロットマシン。
【請求項３】
所定の特別移行条件が成立したときに、所定の終了条件が成立するまで遊技者にとって有利な特別遊技状態に遊技状態を制御する特別遊技状態制御手段をさらに備え、
前記初期遊技状態制御手段は、前記特別遊技状態が終了してから特定のゲーム数を消化するまでのゲームにおいて、前記不利決定手段により何れかの種類の不利表示結果の導出を許容する旨が決定される確率を該特定のゲーム数を消化した後のゲームで前記不利決定手段により何れかの種類の不利表示結果の導出を許容する旨が決定される確率よりも低くする特定低確率状態に、前記初期遊技状態として遊技状態を制御する特定低確率状態制御手段を含む
ことを特徴とする請求項１または２に記載のスロットマシン。
【請求項４】
前記事前決定手段は、前記有利状態とは異なる遊技者にとって有利な特別遊技状態に制御されていないときに、前記入賞表示結果として該特別遊技状態への移行を伴う特別表示結果の導出を許容するか否かを決定し、
前記不利状態制御手段は、前記事前決定手段により前記特別表示結果の導出が許容される旨が決定される確率の逆数よりも少ないゲーム数の間だけ、前記不利状態に遊技状態を制御する
ことを特徴とする請求項３に記載のスロットマシン。
【請求項５】
所定の特別移行条件が成立したときに、所定の終了条件が成立するまで遊技者にとって有利な特別遊技状態に遊技状態を制御する特別遊技状態制御手段と、
前記特別遊技状態が終了した後に消化したゲーム数を計数する非特別ゲーム数計数手段とをさらに備え、
前記有利手順報知手段は、前記非特別ゲーム数計数手段により計数されたゲーム数が所定ゲーム数以上となって前記初期遊技状態に制御されているときに、前記所定の条件の成立として前記有利表示結果を導出させるための操作手順を特定可能な情報を報知する
ことを特徴とする請求項１乃至４のいずれか１項に記載のスロットマシン。
【請求項６】
前記不利手順報知手段は、設定された不利決定結果情報の種類に応じた不利表示結果を導出させるための操作手順を特定可能な情報として、該設定された不利決定結果情報の種類に対応した識別情報の近傍に配置されていない種類の所定の識別情報を報知する
ことを特徴とする請求項１乃至５のいずれか１項に記載のスロットマシン。
【手続補正２】
【補正対象書類名】明細書
【補正対象項目名】０００９
【補正方法】変更
【補正の内容】
【０００９】
上記目的を達成するため、本発明にかかるスロットマシンは、
遊技用価値（メダル）を用いて１ゲームに対して所定数の賭数を設定することによりゲームを開始させることが可能となり、複数種類の識別情報を変動表示させる可変表示装置（可変表示装置２）に表示結果が導出されることにより１ゲームが終了し、該可変表示装置に導出された表示結果に応じて入賞が発生可能であるスロットマシン（スロットマシン１）であって、
予め定められた初期条件が成立したときに、初期遊技状態（通常の遊技状態、ＲＴ３）に遊技状態を制御する初期遊技状態制御手段（ステップＳ８０６、Ｓ８０７、Ｓ８１１、ステップＳ８１３、Ｓ８１５：ＲＴ１カウンタ、ＲＴ２カウンタの値が０まで減算されると、通常の遊技状態になる）と、
ゲーム毎に前記可変表示装置の表示結果が導出されるより前に、入賞表示結果の導出を許容するか否かを決定し、該決定の結果に応じた決定結果情報（当選フラグ）を設定する手段であって、
前記初期遊技状態よりも遊技者にとって有利な有利状態（ＲＴ２）への移行を伴う複数種類の有利表示結果（ベル２〜ベル４）の何れかの導出を許容する旨を決定するときに、前記可変表示装置の表示結果として導出される識別情報の種類が何れの有利表示結果とも異なるとともに前記有利状態への移行がないこと以外には該有利表示結果と同じ価値が付与される非有利表示結果（ベル１）の導出を許容する旨を同時に決定し、前記複数種類の有利表示結果の何れかの導出を許容する旨の決定に従って複数種類の有利決定結果情報のうちの何れかを設定するとともに前記非有利表示結果の導出を許容する旨の決定に従って非有利決定結果情報を設定する有利決定手段（ベル１＋ベル２、ベル１＋ベル３、ベル１＋ベル４）と、
前記有利状態よりも遊技者にとって不利な不利状態（ＲＴ１）への移行を伴う複数種類の不利表示結果（リプレイ２〜リプレイ４）の何れかの導出を許容する旨を決定するときに、前記可変表示装置の表示結果として導出される識別情報の種類が何れの不利表示結果とも異なるとともに前記不利状態への移行がないこと以外には該不利表示結果と同じ価値が付与される非不利表示結果（リプレイ１）の導出を許容する旨を同時に決定し、前記複数種類の不利表示結果の何れかの導出を許容する旨の決定に従って複数種類の不利決定結果情報のうちの何れかを設定するとともに前記非不利表示結果の導出を許容する旨の決定に従って非不利決定結果情報を設定する不利決定手段（リプレイ１＋リプレイ２、リプレイ１＋リプレイ３、リプレイ１＋リプレイ４）と、
を含む事前決定手段（ステップＳ４０３）と、
前記識別情報の変動表示を停止させるために遊技者により操作される停止操作手段（停止ボタン１２Ｌ、１２Ｃ、１２Ｒ）と、
前記事前決定手段により設定された決定結果情報と前記停止操作手段の操作手順とに応じて前記可変表示装置に表示結果を導出させる手段であって、
前記複数種類の有利決定結果情報の何れかと前記非有利決定結果情報とが設定されているときに、前記有利決定結果情報の種類に応じて異なるように定められた複数種類の操作手順のうちの該設定された有利決定結果情報に応じて定められた操作手順（図２：左のリール３Ｌに「赤７」、「白７」、「ＢＡＲ」を導出できる停止ボタン１２Ｌの操作タイミング）で前記停止操作手段が操作されたときには対応する種類の有利表示結果を導出させ、該設定された有利決定結果情報の種類に応じた操作手順で前記停止操作手段が操作されなかったときには前記停止操作手段の操作手順に関わらずに前記非有利表示結果を導出させる有利導出制御手段と、
前記複数種類の不利決定結果情報の何れかと前記非不利決定結果情報とが設定されているときに、前記不利決定結果情報の種類に応じて異なるように定められた複数種類の操作手順のうちの該設定された不利決定結果情報に応じて定められた操作手順（図２：左のリール３Ｌに「赤７」、「白７」、「ＢＡＲ」を導出できる停止ボタン１２Ｌの操作タイミング）で前記停止操作手段が操作されたときには対応する種類の不利表示結果を導出させ、該設定された不利決定結果情報の種類に応じた操作手順で前記停止操作手段が操作されなかったときには前記停止操作手段の操作手順に関わらずに前記非不利表示結果を導出させる不利導出制御手段と、
を含む導出制御手段（ステップＳ４０４）と、
前記初期遊技状態において前記可変表示装置の表示結果として前記有利表示結果が導出されたときに、前記有利状態に遊技状態を制御する有利状態制御手段（ステップＳ７１５）と、
前記初期遊技状態において前記可変表示装置の表示結果として前記不利表示結果が導出されたときに、前記不利状態に遊技状態を制御する不利状態制御手段（ステップＳ７１７）と、
前記初期遊技状態において所定の条件が成立しているときにおいて前記事前決定手段により前記有利決定結果情報が設定されたときに、該設定された有利決定結果情報の種類に応じた有利表示結果を導出させるための操作手順を特定可能な情報を遊技者に報知するとともに、前記初期遊技状態において所定の条件が成立していないときにおいて前記事前決定手段により前記有利決定結果情報が設定されたときに、該有利決定結果情報が設定されていることは特定可能であるが何れの種類の有利決定結果情報であるかまでは特定不能な情報を遊技者に報知する有利手順報知手段（ステップＳ９３２、Ｓ９３３）と、
前記初期遊技状態において前記所定の条件が成立しているときにおいて前記事前決定手段により前記不利決定結果情報が設定されたときに、前記有利手順報知手段による情報の報知態様とは異なる報知態様で、該設定された不利決定結果情報の種類に応じた不利表示結果の導出を回避するための操作手順を特定可能な情報を遊技者に報知するとともに、前記初期遊技状態において所定の条件が成立していないときにおいて前記事前決定手段により前記不利決定結果情報が設定されたときに、該不利決定結果情報が設定されていることは特定可能であるが何れの種類の不利決定結果情報であるかまでは特定不能な情報を遊技者に報知する不利手順報知手段（ステップＳ９３６、Ｓ９３７）と
を備えることを特徴とする。
【手続補正３】
【補正対象書類名】明細書
【補正対象項目名】００１２
【補正方法】変更
【補正の内容】
【００１２】
なお、前記入賞表示結果とは、例えば、前記特別遊技状態への移行を伴う特別表示結果、前記遊技用価値の付与を伴う小役表示結果、または賭数の設定に前記遊技用価値を用いることなく次のゲームを実行することが可能となる再遊技表示結果とすることができる。ここで、前記複数種類の有利表示結果は、前記入賞表示結果のうちの小役表示結果または再遊技表示結果で兼ねられているものであってもよく、この場合には、前記有利決定結果情報は、対応する入賞表示結果の導出を許容する旨が決定されたときに設定される決定結果情報となる。不利表示結果、不利決定結果情報についても同様である。
【手続補正４】
【補正対象書類名】明細書
【補正対象項目名】００１３
【補正方法】削除
【補正の内容】
【手続補正５】
【補正対象書類名】明細書
【補正対象項目名】００１７
【補正方法】変更
【補正の内容】
【００１７】
上記スロットマシンは、
所定の特別移行条件が成立したときに、所定の終了条件が成立するまで遊技者にとって有利な特別遊技状態（レギュラーボーナス、ビッグボーナス）に遊技状態を制御する特別遊技状態制御手段（ステップＳ７０８、Ｓ７１０、Ｓ７１２）をさらに備えていてもよく、
この場合において、
前記初期遊技状態制御手段は、前記特別遊技状態が終了してから特定のゲーム数を消化するまでのゲームにおいて、前記不利決定手段により何れかの種類の不利表示結果の導出を許容する旨が決定される確率を該特定のゲーム数を消化した後のゲームで前記不利決定手段により何れかの種類の不利表示結果の導出を許容する旨が決定される確率よりも低くする特定低確率状態（ＲＴ３）に、前記初期遊技状態として遊技状態を制御する特定低確率状態制御手段（ステップＳ３０７）を含むものとすることができる（リプレイ１＋リプレイ２、リプレイ１＋リプレイ３、リプレイ１＋リプレイ４の当選確率は、ＲＴ３では０、通常の遊技状態ではそれぞれ２９９４／６５５３６）。
【手続補正６】
【補正対象書類名】明細書
【補正対象項目名】００２２
【補正方法】変更
【補正の内容】
【００２２】
特別遊技状態は、遊技者にとって有利な遊技状態であり、遊技者にとっては特別遊技状態と特別遊技状態の間のゲーム数が少ない方が好ましい。逆を言えば、特別遊技状態と特別遊技状態の間のゲーム数が多くなるほど遊技者にとっては不利と言うことになるが、ここでは、特別遊技状態が終了した後に消化したゲーム数が所定ゲーム数以上となっても新たな特別遊技状態に制御されないときには、その場合の初期遊技状態において所定の条件を成立させて、有利表示結果を導出させるための操作手順を特定可能な情報を報知するものとしている。このため、特別遊技状態と特別遊技状態の間のゲーム数が多くなってしまった場合でも、遊技者に対して救済が図られる。
上記スロットマシンにおいて、
前記不利手順報知手段は、設定された不利決定結果情報の種類に応じた不利表示結果を導出させるための操作手順を特定可能な情報として、該設定された不利決定結果情報の種類に対応した識別情報の近傍に配置されていない種類の所定の識別情報を報知するものとしてもよい。